(57)【特許請求の範囲】
【請求項１】
ノブと、このノブに連結されるスイッチユニットと、前記スイッチユニットを内蔵するケースと、前記ノブと前記ケースとの間に設けられるパッキンと、を備えた防水スイッチにおいて、前記パッキンは、前記ケースあるいは前記ノブに固定される環状のベース部と、前記ノブあるいは前記ケースに接する舌片とを備え、前記舌片が前記ベース部の側面の上側と下側から斜め方向に突出し互いに向き合って前記ノブあるいは前記ケースに接することを特徴とする防水スイッチ。
【請求項２】
前記ケースあるいは前記ノブに設けた固定用突起を挟んで支持する二つの固定片とこの二つの固定片を接続する接続部とを前記ベース部に設け、前記ベース部の前記接続部を設けた側の前記二つの固定片に対応する部分の少なくとも一方に前記舌片を設けたことを特徴とする請求項１に記載の防水スイッチ。
【発明の詳細な説明】
【技術分野】
【０００１】
本発明は、防水スイッチ、特に、プッシュスイッチ機能と回転機能を備えた防水スイッチに関する。
【背景技術】
【０００２】
従来の防水スイッチは、外装ケースと、この外装ケースに収納されるプッシュボタンと、回転性を有し、外装ケースを介してプッシュボタンを押圧するキートップと、外装ケースとキートップの間に配置され、防水性と弾力性を有するパッキンを有し、パッキンは、例えばシリコンゴムや軟質合成樹脂等によって形成され、下部フランジによってボスを締め付けさせ、上部フランジによって軸部を締め付けさせることで中空部を気密封止し、プッシュボタンを防水するものであった（例えば、特許文献１参照）。
【先行技術文献】
【特許文献】
【０００３】
【特許文献１】特開２００９−７０６５７号公報
【発明の概要】
【発明が解決しようとする課題】
【０００４】
従来の防水スイッチでは、下部フランジによってボスを締め付けさせ、上部フランジによって軸部を締め付けさせることで中空部を気密封止し、プッシュボタンを防水するものであったため、下部フランジや上部フランジの締め付け具合によって、スイッチを回転操作する際に大きな力で操作する場合や、あるいは、小さな力で操作可能であっても、防水性が劣るおそれがあるという問題点があった。
【０００５】
そこで、本発明は、上記問題点に鑑みてなされたものであり、回転操作する際に必要な力を小さくし、かつ良好な防水性を備えた防水スイッチを提供することを目的とする。
【課題を解決するための手段】
【０００６】
本発明の防水スイッチは、ノブと、このノブに連結されるスイッチユニットと、前記スイッチユニットを内蔵するケースと、前記ノブと前記ケースとの間に設けられるパッキンと、を備えた防水スイッチにおいて、前記パッキンは、前記ケースあるいは前記ノブに固定される環状のベース部と、前記ノブあるいは前記ケースに接する舌片とを備え、前記舌片が前記ベース部の側面の上側と下側から斜め方向に突出し互いに向き合って前記ノブあるいは前記ケースに接するものである。
【発明の効果】
【０００７】
本発明に係る防水スイッチによれば、回転操作する際に必要な力を小さくし、かつ良好な防水性を備えた防水スイッチを提供することができる。
【図面の簡単な説明】
【０００８】
【図１】本発明の第１実施形態に係る防水スイッチを備えた操作装置の正面図。
【図２】図１中Ａ−Ａ線の断面図。
【図３】同実施形態のパッキンの部分断面斜視図。
【図４】同発明の第２実施形態の断面図。
【図５】同発明の第３実施形態のパッキンの断面図。
【図６】同発明の第４実施形態のパッキンの断面図。
【図７】同発明の第５実施形態のパッキンの断面図。
【発明を実施するための形態】
【０００９】
本発明の第１実施形態に係る防水スイッチ１を、図面を参照して説明する。
【００１０】
防水スイッチ１は、操作装置２などの機器に取り付けられている。防水スイッチ１は、ノブ３と、スイッチユニット４と、ケース５と、パッキン６とを少なくとも備えている。なお、７は、回路基板である。
【００１１】
ノブ３は、スイッチユニット４に連結されており、スイッチユニット４の回転操作やプッシュ操作を行うものである。ノブ３は、合成樹脂からなり、円形の円板部３１と、円板部３１の中央部分に設けた突出部３２と、円板部３１の周縁部分に設けた円筒部３３とを備えている。
【００１２】
突出部３２は、その断面形状が円形の外周３２ａを有している。本実施形態では、突出部３２は、その内部に断面形状がＤの字形状の穴部３４を備えている。この穴部３４にスイッチユニット４が挿入されて連結されており、ノブ３の回転操作やプッシュ操作が、スイッチユニット４に伝えられる。また、突出部３２の端部には、抜け止め部材８が固定されている。この抜け止め部材８は、金属製で環状をしている。抜け止め部材８は、突出部３２の端部に設けた保持部３５を熱によって変形することで固定されている。抜け止め部材８は、ノブ３をケース５から抜き取る方向に引いた場合に、パッキン６に接触し、ノブ３の抜けを防止するものである。
【００１３】
スイッチユニット４は、前述したように、回転操作やプッシュ操作可能であり、回路基板７に実装されている。
【００１４】
ケース５は、合成樹脂からなり、スイッチユニット４や回路基板７を内蔵するものである。ケース５は、円筒部５１を備えている。この円筒部５１は、断面形状が円形の内壁部５１ａを備えており、この内壁部５１ａには、パッキン６を保持する固定用突起５２が設けられている。
【００１５】
パッキン６は、ノブ３とケース４との間に設けられており、ゴムなどの弾性を有する弾性体で形成されている。パッキン６は、貫通孔６１ａを備えた環状のベース部６１と、ベース部６１の内側の側面から突出形成した二つの舌片６２、６３とを備えている。
【００１６】
ベース部６１は、ケース５に固定されており、本実施形態では、ケース５の内壁部５１ａの固定用突起５２に固定されている。本実施形態では、ベース部６１は、固定用突起５２が嵌り込む溝部６４を備えている。この溝部６４は、固定用突起５２を挟んで支持する二つの固定片６５、６６と、この二つの固定片６５、６６を繋ぐ接続部６７によって形成されている。二つの固定片６５、６６は、ベース部６１の貫通孔６１ａの貫通方向に対して、ベース部６１の上側に設けた固定片６５と、下側に設けた固定片６６とで構成されている。接続部６７は、ベース部６１の内側、つまり貫通孔６１ａ側で、固定片６５、６６を接続している。そして、溝部６４に固定用突起５２を嵌め込んで支持する、言い換えれば、溝部６４を形成する二つの固定片６５、６６が固定用突起５２を挟んで支持することによって、ベース部６１が、ケース５の円筒部５１の内壁部５１ａに固定される。
【００１７】
二つの舌片６２、６３は、ベース部６１の接続部６７を設けた側、すなわち、ベース部６１の貫通孔６１ａの内側の側面の二つの固定片６５、６６に対応する部分に設けられている。二つの舌片６２、６３は、切れ目なく設けられている。そして、二つの舌片６２、６３は、共にノブ３に接するものであり、本実施形態では、ノブ３の突出部３２の外周３２ａに接している。二つの舌片６２、６３は、ベース部６１の側面の上側と下側とから斜め方向に突出してノブ３に接しており、本実施形態では、二つの舌片６２、６３のうち、第１の舌片６２が、下側を向き、第２の舌片６３が上側を向き、すなわち、ベース部６１の貫通孔６１ａの貫通方向に対して、ベース部６１の中央側に斜め方向に突出し、さらに、第１の舌片６２と第２の舌片６３とが互いに向き合っている。このように、第１の舌片６２と第２の舌片６３とが互いに向き合うようにしたことによって、第１の舌片６２の先端部と第２の舌片６３の先端部とが近接することができる。本実施形態のように、合成樹脂からなるノブ３の場合、樹脂成形の金型から型品を抜くために抜き勾配が必要であり、ノブ３の突出部３２にも抜き勾配があり、突出部３２の先端側の直径と根本側の直径では、先端側の直径が小さい。よって、二つの舌片６２、６３の先端部が近接することによって、二つの舌片６２、６３が接する部分の突出部３２の直径に差異がわずかであり、二つの舌片６２、６３が接する部分の突出部３２の直径が異なることによる回転操作時の抵抗を抑えることができる。
【００１８】
また、二つの固定片６５、６６と二つの舌片６２、６３とは、ベース部６１の貫通孔６１ａの貫通方向に対して、上側の固定片６５の位置に上側の第１の舌片６２を、下側の固定片６６の位置に下側の第２の舌片６３を設けている。
【００１９】
また、二つの舌片６２、６３は、ベース部６１の貫通孔６１ａの貫通方向に対して、それぞれベース部６１の両端側に設けるために、すなわち、ベース部６１の上側に設けた第１の舌片６２はベース部６１の上端側に、ベース部６１の下側に設けた第２の舌片６３はベース部６１の下端側に設けるために、第１の舌片６２は、ベース部６１の貫通孔６１ａの貫通方向に対してベース部６１の上面６１ｂとの間に段差なく連続して設けられている。第２の舌片６３は、ベース部６１の貫通孔６１ａの貫通方向に対してベース部６１の下面６１ｃとの間に段差なく連続して設けられている。
【００２０】
また、二つの舌片６２、６３の先端部の断面形状は、円形であり、ノブ３の接触面積を最小とし、ノブ３の操作性を阻害しないものである。
【００２１】
以上のように、ノブ３と、このノブ３に連結されるスイッチユニット４と、スイッチユニット４を内蔵するケース５と、ノブ３とケース５との間に設けられるパッキン６と、を備えた防水スイッチ１において、パッキン６は、ケース５に固定される環状のベース部６１と、ノブ３に接する舌片６２、６３とを備え、舌片６２、６３がベース部６１の側面の上側あるいは下側から斜め方向に突出してノブ３に接することによって、回転操作する際に必要な力を小さくし、かつ良好な防水性を備えた防水スイッチ１を提供することができる。
【００２２】
また、ケース５に設けた固定用突起５２を挟んで支持する二つの固定片６５、６６とこの二つの固定片６５、６６を接続する接続部６７とをベース部６１に設け、ベース部６１の接続部６７を設けた側の二つの固定片６５、６６に対応する部分の少なくとも一方に舌片６２、６３を設けたことによって、舌片６２、６３が剛性を有するベース部６１の固定片６５、６６に設けることとなり、ベース部６１の変形を抑える、つまり、ベース部６１の変形による固定片６５、６６と固定用突起５２との間に隙間が生じることを抑えて、固定片６５、６６と固定用突起５２との間の気密性を維持することができ、良好な防水性を備えた防水スイッチ１を提供することができる。
【００２３】
また、舌片６２、６３をベース部３１の側面の上側と下側に設けたことにより、さらに、良好な防水性を備えた防水スイッチ１を提供することができる。
【００２４】
また、ベース部３１の側面の上側と下側に設けた二つの舌片６２、６３がそれぞれベース部６１の中央側に斜め方向に突出し互いに向き合ったことにより、さらに、良好な防水性を備えた防水スイッチ１を提供することができる。
【００２５】
次に本発明の第２実施形態を図４を用いて説明する。なお、第１実施形態と同一および相当箇所には、同一符号を付し、その詳細な説明は省略する。
【００２６】
第１実施形態では、パッキン６が、ケース５に固定され、パッキン６の二つの舌片６２、６３が、ノブ３に接するものであったが、本実施形態では、パッキン１６が、ノブ３に固定され、パッキン１６の二つの舌片１６２，１６３が、ケース５に接するものである。
【００２７】
ノブ３の突出部３２には、パッキン１６を保持する固定用突起３６が全周に渡って設けられている。
【００２８】
ケース５の円筒部５１の内部には、抜け止め部材８が当接し、ノブ３の抜けを防止する抜け防止部１５３が設けられている。
【００２９】
パッキン１６は、環状のベース部１６１と、ベース部１６１の外側の側面から突出形成した二つの舌片１６２、１６３とを備えている。ベース部１６１は、固定用突起３６が嵌り込む溝部１６４を備えている。この溝部１６４は、固定用突起３６を挟んで支持する二つの固定片１６５、１６６と、この二つの固定片１６５、１６６を繋ぐ接続部１６７によって形成されている。二つの固定片１６５、１６６は、ベース部１６１の貫通孔１６１ａの貫通方向に対して、ベース部１６１の上側に設けた固定片１６５と、下側に設けた固定片１６６とで構成されている。接続部１６７は、ベース部１６１の外側、つまりベース部１６１の外周側で、固定片１６５、１６６を接続している。そして、溝部１６４に固定用突起３６を嵌め込んで支持する、言い換えれば、溝部１６４を形成する二つの固定片１６５、１６６が固定用突起３６を挟んで支持することによって、ベース部１６１が、ノブ３の突出部３２の外周３２ａに固定される。
【００３０】
二つの舌片１６２、１６３は、ベース部１６１の外側の側面に切れ目なく設けられている。そして、二つの舌片１６２、１６３は、共にケース５に接するものであり、本実施形態では、ケース５の円筒部５１の内周に接している。この二つの舌片１６２、１６３のうち、第１の舌片１６２が、上側を向き、第２の舌片１６３が下側を向いている。
【００３１】
また、二つの舌片１６２、１６３の先端部の断面形状は、円形であり、ケース５の接触面積を最小とし、ノブ３の操作性を阻害しないものである。
【００３２】
以上のように構成したことによって、第１実施形態と同様の作用効果を得ることができ、回転操作する際に必要な力を小さくし、かつ良好な防水性を備えた防水スイッチを提供することができる。
【００３３】
次に本発明の第３、第４実施形態を図５、図６を用いて説明する。なお、前記各実施形態と同一および相当箇所には、同一符号を付し、その詳細な説明は省略する。
【００３４】
前記各実施形態では、舌片を二つ設けていたが、図５で示すように、上側の第１の舌片６２のみ設けたものや、図６で示すように、下側の第２の舌片６３のみ設けたものであってもよい。また、この舌片６２、６３を一つのみ設けた構成は、第２実施形態のように、ベース部６１の外側に舌片１６２、１６３を設けたものであってもよい。
【００３５】
次に本発明の第５実施形態を図７を用いて説明する。なお、前記各実施形態と同一および相当箇所には、同一符号を付し、その詳細な説明は省略する。
【００３６】
前記各実施形態では、二つの舌片がそれぞれベース部の中央側に斜め方向に突出し互いに向き合っていたが、図７で示すように、本実施形態のパッキン２６は、二つの舌片２６２、２６３が互いに向き合わず、相反する向きに突出したものであってもよい。この構成においても、回転操作する際に必要な力を小さくし、かつ良好な防水性を備えた防水スイッチを提供することができる。
【産業上の利用可能性】
【００３７】
本発明は、防水スイッチ、特に、プッシュスイッチ機能と回転機能を備えた防水スイッチに利用可能である。
【符号の説明】
【００３８】
１    防水スイッチ
３    ノブ
４    スイッチユニット
５    ケース
６、１６、２６    パッキン
５２    固定用突起
６１、１６１    ベース部
６２、１６２    第１の舌片
６３、１６３    第２の舌片
６４、１６４    溝部
６５、１６５    固定片
６６、１６６    固定片
６７、１６７    接続部
【図１】
0006459248.tif 000002
【図２】
0006459248.tif 000003
【図３】
0006459248.tif 000004
【図４】
0006459248.tif 000005
【図５】
0006459248.tif 000006
【図６】
0006459248.tif 000007
【図７】
0006459248.tif 000008